(57)【要約】アプリケーション層（２１０）、アプリケーション層とインタフェース接続するサービス層（２２０）、サービス層とインタフェース接続するマルチモード層（２３０）、およびマルチモード層とインタフェース接続するハードウェア層（２４０）を備えたマルチモード移動無線通信装置のアーキテクチャ（２００）。マルチモード層は、例えばＷ−ＣＤＭＡ  ＵＭＴＳ技術やＧＳＭ／ＧＰＲＳ技術を初めとする、第１および第２の相互動作可能な無線アクセス技術を含んでいる。
2005537748.tif 000002
【特許請求の範囲】
【請求項１】
マルチモード移動無線通信装置のアーキテクチャであって、
アプリケーション層；
アプリケーション層とインタフェース接続するサービス層；
サービス層とインタフェース接続し、かつ、第１の無線アクセス技術と第２の無線アクセス技術とを相互接続する相互動作エンティティを含むマルチモード層であって、該第１の無線アクセス技術は該第２の無線アクセス技術とは異なるマルチモード層；および
マルチモード層とインタフェース接続するハードウェア層；
を有するマルチモード移動無線通信装置のアーキテクチャ。
【請求項２】
第１の無線アクセス技術の第１の状態マシン；
第２の無線アクセス技術の第２の状態マシン；
該第１の状態マシンおよび該第２の状態マシンに結合された状態遷移コンポーネント；および第１の状態マシンと第２の状態マシンは互いに結合されていること；を有する無線資源層を有する請求項１に記載のマルチモード移動無線通信装置のアーキテクチャ。
【請求項３】
第１の無線アクセス技術は広帯域符号分割多重接続（Ｗ−ＣＤＭＡ）のユニバーサル・モバイル・テレコミュニケーション・サービス（ＵＭＴＳ）無線アクセス技術であり、第２の無線アクセス技術は一般パケット無線サービス（ＧＰＲＳ）無線資源／汎欧州自動車電話システム（ＧＳＭ）無線アクセス技術である請求項２に記載のマルチモード移動無線通信装置のアーキテクチャ。
【請求項４】
サービス層に結合され、かつ無線資源層に結合された移動性管理層を有する請求項２に記載のマルチモード移動無線通信装置のアーキテクチャ。
【請求項５】
無線資源層に結合されたタイミング・コンポーネントであって、第１および第２の無線アクセス技術にいずれも結合されたリアルタイム・タスク処理要素および割込み処理要素を有するタイミング・コンポーネントを有する請求項２に記載のマルチモード移動無線通信装置のアーキテクチャ。
【請求項６】
サービス層に結合されたデータ・ルータであって、第１および第２の無線アクセス技術に結合されたデータ・ルータを有する請求項２に記載のマルチモード移動無線通信装置のアーキテクチャ。
【請求項７】
サービス層に結合された移動性管理層であって、無線資源層と、データ・ルータとに結合された移動性管理層を有する請求項６に記載のマルチモード移動無線通信装置のアーキテクチャ。
【請求項８】
無線資源層に結合されたタイミング・コンポーネントであって、第１および第２の無線アクセス技術と、ハードウェア層とに結合されたタイミング・コンポーネントを有する請求項７に記載のマルチモード移動無線通信装置のアーキテクチャ。
【請求項９】
マルチモード移動無線通信装置のアーキテクチャであって、
サービス層；
サービス層に結合されたデータ・ルータであって、移動性管理コンポーネントに結合されたデータ・ルータ；
データ・ルータに結合された無線資源コンポーネント；および
無線資源コンポーネントおよびデータ・ルータに結合された第１と第２無線アクセス技術；
を有するマルチモード移動無線通信装置のアーキテクチャ。
【請求項１０】
移動性管理層が、サービス層と、無線資源コンポーネントと、データ・ルータとに結合され、移動性管理層はデータ・ルータにアクティブな無線アクセス技術情報を伝達するためのものであり、データ・ルータはデータをアクティブな無線アクセス技術に経路指定するためのものである請求項９に記載のマルチモード移動無線通信装置のアーキテクチャ。
【請求項１１】
前記無線資源コンポーネントは第１無線アクセス技術と第２の無線アクセス技術の間を遷移するためのものである請求項９に記載のマルチモード移動無線通信装置のアーキテクチャ。
【請求項１２】
前記データ・ルータは、データを、サービス層と、第１および第２の無線アクセス技術との間に経路指定するためのものである請求項９に記載のマルチモード移動無線通信装置のアーキテクチャ。
【請求項１３】
無線資源コンポーネントと、第１および第２の無線アクセス技術とに結合されたタイミング層を有する請求項９に記載のマルチモード移動無線通信装置のアーキテクチャ。
【請求項１４】
マルチモード移動無線通信装置のアーキテクチャであって、
サービス層；
第１および第２の無線アクセス技術であって、該第１の無線アクセス技術は該第２の無線アクセス技術とは異なる第１および第２無線アクセス技術；および
第１の無線アクセス技術と第２の無線アクセス技術との間を遷移する無線資源コンポーネント；
を有するマルチモード移動無線通信装置のアーキテクチャ。
【請求項１５】
無線資源コンポーネントが、第１の無線アクセス技術の第１の状態マシン、第２の無線アクセス技術の第２の状態マシン、第１の状態マシンと第２の状態マシンとの間を遷移する状態遷移コンポーネントを有する請求項１４に記載のマルチモード移動無線通信装置のアーキテクチャ。
【請求項１６】
状態遷移コンポーネントが、第１の状態マシンと第２の状態マシンの間で切り替わる間に無線資源コンポーネントの状態を維持するためのものである請求項１５に記載のマルチモード移動無線通信装置のアーキテクチャ。
【請求項１７】
状態遷移コンポーネントが、前記第１の無線アクセス技術と第２の無線アクセス技術との間に資源を割り当てるためのものである請求項１５に記載のマルチモード移動無線通信装置のアーキテクチャ。
【請求項１８】
マルチモード移動無線通信装置のアーキテクチャであって、
第１および第２の無線アクセス技術であって、該第１の無線アクセス技術は該第２の無線アクセス技術とは異なる第１および第２無線アクセス技術；
前記第１および第２の無線アクセス技術の両方にリアルタイム・タスク処理および割込み処理を行うタイミング層；
を有するマルチモード移動無線通信装置のアーキテクチャ。
【請求項１９】
前記第１および第２無線アクセス技術の間を遷移する無線資源コンポーネントを有する請求項１８に記載のマルチモード移動無線通信装置のアーキテクチャ。
【請求項２０】
前記タイミング層が、セル選択および再選択のリアルタイム処理、信号測定を行ない、
かつ無線資源コンポーネントに報告するためのものである請求項１８に記載のマルチモード移動無線通信装置のアーキテクチャ。
【請求項２１】
前記第１の無線アクセス技術は広帯域符号分割多重接続（Ｗ−ＣＤＭＡ）のユニバーサル・モバイル・テレコミュニケーション・サービス（ＵＭＴＳ）無線アクセス技術であり、第２の無線アクセス技術は一般パケット無線サービス（ＧＰＲＳ）無線資源／汎欧州自動車電話システム（ＧＳＭ）無線アクセス技術である請求項１８に記載のマルチモード移動無線通信装置のアーキテクチャ。
【請求項２２】
前記タイミング層が、Ｗ−ＣＤＭＡメディア・アクセス制御（ＭＡＣ）割込み処理を行うためのものである請求項２１に記載のマルチモード移動無線通信装置のアーキテクチャ。
【請求項２３】
マルチモード移動無線通信装置における方法であって、
第１の無線アクセス技術で通信すること；
第１の無線アクセス技術の第１の状態マシンから第２の無線アクセス技術の第２の状態マシンに遷移することにより、第１の無線アクセス技術から第２の無線アクセス技術に切り替わること；
第１の状態マシンと第２の状態マシンの間で遷移する間に現在の状態を維持すること；から成る方法。
【請求項２４】
第１の状態マシンと第２の状態マシンの間の遷移に失敗した場合に現在の状態に戻ることから成る請求項２３に記載の方法。
【請求項２５】
マルチモード移動無線通信装置における方法であって、
第１および第２の無線アクセス技術のリアルタイムのタスク処理を行なうこと；
割込み処理により前記第１および第２の無線アクセス技術のメディア・アクセス制御（ＭＡＣ）を行なうこと；
から成る方法。
【請求項２６】
リアルタイムのタスク処理情報を状態遷移コンポーネントに伝達し、状態遷移コンポーネントを用いて第１および第２の無線アクセス技術の第１および第２の状態マシンの間で遷移することから成る請求項２５に記載の方法。
【請求項２７】
マルチモード移動無線通信装置における方法であって、
第１および第２の無線アクセス技術のリアルタイムのタスク処理を行なうこと；
第１および第２の無線アクセス技術の第１および第２の状態マシンの間で遷移する状態遷移コンポーネントにリアルタイムのタスク処理情報を伝達すること；
から成る方法。
【請求項２８】
状態遷移コンポーネントと移動性管理コンポーネントとの間で制御情報を伝達する請求項２７に記載の方法。
【請求項２９】
移動性管理コンポーネントからデータ・ルータに制御情報を通信し、データ・ルータを用いて第１および第２の無線アクセス技術のうちの１つと、サービス層との間で、移動性管理コンポーネントからの制御情報に基づいてデータを経路指定することから成る請求項２７に記載の方法。
【請求項３０】
マルチモード移動無線通信装置における方法であって、
割込み処理により第１および第２の無線アクセス技術のメディア・アクセス制御（ＭＡ
Ｃ）を行なうこと；
第１および第１の無線アクセス技術の第１および第２の資源シーケンス制御（ＲＬＣ）コンポーネントに割込み処理情報を伝達すること；
から成る方法。
【請求項３１】
マルチモード移動無線通信装置における方法であって、
移動性管理層からデータ・ルータに制御情報を伝達すること；
データ・ルータを用いて第１および第２の無線アクセス技術のうちの１つと、サービス層との間で、移動性管理コンポーネントから受け取った制御情報に基づいてデータを経路指定すること
から成る方法。
【請求項３２】
移動性管理層と無線資源層との間で制御情報を伝達し、無線資源層において第１の無線アクセス技術と第２の無線アクセス技術との間を遷移することから成る請求項３１に記載の方法。
【発明の詳細な説明】
【技術分野】
【０００１】
本発明は、一般に、無線移動通信に関し、より詳細には、マルチモード相互動作性を備えた無線移動局通信アーキテクチャ、例えば、時分割多元接続（ＴＤＭＡ）ベースの動作モードとスペクトル拡散ベースの動作モードをサポートする通信、マルチモードアーキテクチャを有する無線装置、およびそのための方法に関する。
【背景技術】
【０００２】
マルチサービス相互動作性を備えた無線セルラ通信の移動局では、本明細書で異種（heterogeneous ）通信環境とも称する、異なる複数の通信プロトコルによってサービスを提供されているエリアでの通信が可能である。
【０００３】
新しい通信技術の最初の展開は、レガシー技術によりサービスを提供される隣接領域に、新しい技術サービスのエリアを制限することが一般的な特徴となっている。例えば多くの国々では、ユニバーサル・モバイル・テレコミュニケーション・サービス（ＵＭＴＳ）のＷ−ＣＤＭＡの実施は、既存の汎欧州自動車電話システム（ＧＳＭ）／一般パケット無線サービス（ＧＰＲＳ）ネットワークインフラストラクチャによりサービスを提供されている海の孤島の上で、最初は展開されるだろう。
【０００４】
新しい技術インフラストラクチャが設置されるか、既存のインフラストラクチャが更新されるまで、ＵＭＴＳサービスは実質的に隣接する複数のエリアでは提供されないだろう。しかし、これには遠隔通信サービスのプロバイダによるかなりの支出が要求され、暫くの間完全にはならない可能性があるため、当分の間、多くの地理的領域では異質な通信環境が生じ得る。
【０００５】
新しいレガシー通信インフラストラクチャによりサービスを提供されているエリアで動作可能なマルチモードのセル式ハンドセットは、ユーザに、新しい通信技術へのより早いアクセスを提供すると共に、その展開を促進するだろう。  また、マルチモード無線通信装置は、他の異種環境での通信にも望ましい。
【０００６】
移動無線通信装置は、異種通信環境におけるシームレスな動作のための、マルチモード相互動作性を備えたアーキテクチャを必要とする。
以下の発明の詳細な説明を以下に説明する添付図面と共に注意深く考察すれば、本発明の様々な態様、特徴および利点が、当業者に、より完全に明らかになるだろう。
【発明を実施するための最良の形態】
【０００７】
図１は、相対的に隣接しているＧＳＭ／ＧＰＲＳカバレージ・エリア１１０と、いくつかの分離したＷ−ＣＤＭＡカバレージ・エリア１２０，１２２とを含む異種通信環境１００の例である。図１の異種環境は、既存のインフラストラクチャ（例えばＧＳＭ／ＧＰＲＳ）が既に十分に確立されているエリアでの、拡張通信ネットワーク・インフラストラクチャ（例えばＷ−ＣＤＭＡネットワーク）の展開の初期の段階の典型例である。例としての環境１００は、例示の無線アクセス・ネットワークによってサービスを提供されるものに限定されるわけではなく、任意の無線アクセス技術（例えば第３世代および第４世代通信サービスやそれらを超える）通信サービスを有する異種ネットワークによって、より一般的に、サービスを提供されてもよい。
【０００８】
異種ネットワークで動作するマルチモード無線通信装置（例えば図１のユーザ・ルート１３０を辿るモバイル端末）では、該通信装置が、例えばＧＳＭ基地局サブシステム（Ｂ
ＳＳ）やユニバーサル陸上無線アクセスネットワーク（ＵＴＲＡＮ）のアクセスネットワークを有するネットワークにおいて、休止モードや活動モードにある異なる無線アクセスネットワークのセルを同時にモニタして、セル選択や無線アクセスベアラ・サービスの双方向ハンドオフを初めとするハンドオーバー手順を行うことが好ましい。
【０００９】
図２は、通常、アプリケーション層２１０と、サービス層２２０と、マルチモード層２３０と、ハードウェア層２４０とを備え、アプリケーション層２１０がサービス層２２０とインタフェース接続し、サービス層２２０がマルチモード層２３０とインタフェース接続し、マルチモード層２３０は、少なくとも２つの相互動作可能な無線アクセス技術を含むと共に、ハードウェア層２４０とインタフェース接続する、マルチモード移動無線通信装置のアーキテクチャ２００の例である。
【００１０】
図２では、アプリケーション層２００は、モデルの一番上にあり、通常１つまたはそれより多くのアプリケーション・サブ・システムを含む。図３のアーキテクチャ３００の例では、アプリケーション層３１０は、ＡＴコマンド・パーサ３１２、アプリケーション・マネージャ３１４、および例えばシナジーアプリケーションを含む、１つのアプリケーション・サブシステムを備えている。アプリケーション層は、一般に、他のアプリケーションサブシステム（例えばＪａｖａ（登録商標）バーチャルマシン）と、他のアプリケーションサブシステム中でも特にその対応するアプリケーションとをさらに備えてもよい。
【００１１】
図３では、サービス層３２０の例は、データ・フロー・サービス・プロバイダ（ＤＦＳＰ）３２２、データ・セッション・サービス・プロバイダ（ＤＳＳＰ）３２４、および接続管理（ＣＭ）コンポーネント３２６を備えている。アプリケーション層はサービス層とインタフェース接続し、それらの間の通信はは関数呼出し（例えばアプリケーションユーティリティ関数）（ＡＵＦ）により行なわれる。通信は例えばＤＦＳＰ  ３２４とＤＳＳＰ  ３２４の間のような、アプリケーション層とサービス層との間で起こってもよい。
【００１２】
マルチモード層は、通常、無線アクセス技術を相互接続する相互動作性エンティティを備えている。図２では、第１の無線アクセス技術２３２はＧＳＭ／ＧＰＲＳ無線アクセス技術であり、これは拡張（例えばＥＤＧＥ、ＥＤＧＥ  Ｃｌａｓｓｉｃ）を含んでもよい。第２の無線アクセス技術２３４は非ＧＳＭ技術であり、例えば広帯域符号分割多重接続（Ｗ−ＣＤＭＡ）のユニバーサル・モバイル・テレコミュニケーション・サービス（ＵＭＴＳ）無線アクセス技術である。
【００１３】
図２では、マルチモード層すなわちエンジン層は、異なる無線アクセス技術間で共有されるコンポーネント（例えば移動性管理層、データ・ルータ、接続性コンポーネントなど）を有する共通サブシステム２３６を通常備えている。以下により完全に議論するように、エンジン層はさらに、例えば測定制御、スケジューリング、セル選択などのための、無線アクセス技術間で共有される、タイムクリティカル機能制御コンポーネント２３８も備えている。
【００１４】
図３のアーキテクチャの例では、第１の無線アクセス技術と第２の無線アクセス技術によって共有されるコンポーネントには、アプリケーション層３１０とサービス層３２０が含まれる。１実施形態では、移動性管理コンポーネント３３２、セッション管理（ＳＭ）コンポーネント３３４、無線リンク・プロトコル（ＲＬＰ）コンポーネント３３６およびさらに以下に詳しく議論する他のコンポーネントを含む、マルチモード層３３０のいくつかのコンポーネントも第１および第２の無線アクセス技術によって共有される。図３では、デジタル信号処理（ＤＳＰ）コンポーネント３５０は、通常、例証的実施形態では、対応する無線アクセス技術（ＷＣＤＭＡおよびＧＳＭ／ＧＰＲＳ）のための変調および復調機能を通常備えている。
【００１５】
図３の例証的実施形態では、アーキテクチャは、第１の無線アクセス技術と第２の無線アクセス技術の間で遷移するための無線資源層３３８を備えている。この例証的実施形態では、無線資源層３３８は第１および第２の無線アクセス技術により共有されている。
【００１６】
図４は、対応する無線技術のための状態遷移コンポーネント４１０と、第１および第２の状態マシン４２０および４３０とを含む、無線資源コンポーネント４０２を備えた無線資源層４００のより詳細な図である。追加の無線アクセス技術を有する他の状態マシンが実施形態に含まれてもよい。状態遷移コンポーネント４１０は、通常、第１の無線アクセス技術と第２の無線アクセス技術に資源を割り当てる。状態遷移コンポーネント４１０はまた、ある状態マシンから他方の状態マシンへの遷移の間に、遷移に失敗した場合に現在の状態に戻ることを可能にするために、現在の状態情報を維持している。
【００１７】
図４の例証的実施形態では、第１の状態マシン４２０は、通常、Ｗ−ＣＤＭＡ無線資源エンティティ（ＲＲＣ）４４０に結合される。Ｗ−ＣＤＭＡ無線資源エンティティ（ＲＲＣ）４４０は、とりわけ他の既知の機能性要素の中でも、Ｗ−ＣＤＭＡメッセージ・パーサ４４２、メッセージ・ビルダ４４４、および層構成コントローラ４４６を備えている。第２の状態マシン４３０はＧＰＲＳ無線資源（ＧＲＲ）／ＧＳＭ無線資源（ＲＲ）エンティティ４５０に結合される。ＧＰＲＳ無線資源（ＧＲＲ）／ＧＳＭ無線資源（ＲＲ）エンティティ４５０は、とりわけ他の既知の要素の中でも、ＧＳＭ／ＧＰＲＳメッセージ・パーサ４５２、メッセージ・ビルダ４５４および構成コントローラ４５６を備えている。無線資源エンティティ４４０，４５０、ならびに対応する要素は、装置の無線アクセス技術に特有のものである。
【００１８】
図３で、無線資源層３３８は、移動性管理層に、および例証的実施形態ではその移動性管理コンポーネント３３２に、無線資源ステータスおよびその他の制御情報（例えば登録エリアとＮＡＳシステム情報、ＰＬＭＮ有効性など）を伝達する。その機能については以下により完全に議論する。
【００１９】
図３で、無線資源層３３８にはタイミング・コンポーネント３４０が結合されている。例証的なタイミング・コンポーネント３４０は、リアルタイムのタスク処理部分３４２と割込み処理部分３４４に分割される。リアルタイムのタスク部分はリアルタイム処理を行なうために、無線アクセス技術の対応する部分に結合され、割込み処理部分は割込み処理を行なうために、無線アクセス技術に結合される。
【００２０】
タイムクリティカル無線アクセス技術機能、例えば公衆陸上モバイル・ネットワーク（ＰＬＭＮ）選択、セルの選択および再選択、信号測定、ハンドオーバーなど）は、タイミング・コンポーネントのリアルタイム部分内のリアルタイム・コーディネータ３４３により調整される。リアルタイム・コーディネータは、無線資源層３３８に状態および他の情報を報告し、リアルタイム・コーディネータは、無線資源コンポーネント３３７からの制御下で、無線アクセス技術間の切り替えを制御する。
【００２１】
例えば、最初のセル選択の間に、無線資源コンポーネント３３７は適切な無線アクセス技術（例えば例証的実施形態ではＧＳＭまたはＷ−ＣＤＭＡ）上でセル選択を制御し、パワー測定とチャンネル同期を命令し、無線資源（ＲＲ）コンポーネントによってスケジューリングされたシステム情報を読むよう命令し、最も適切なセル上でキャンプするセル選択手順に従う。セルがキャンプしていることを見出すと、無線資源コンポーネントはＲＲ／ＲＲＣに表示を送る。所望の無線アクセス技術上でセルが適切に見つからない場合、他方の無線アクセス技術上でのセル選択手順が選択される。適切なセルが見つからない場合、利用可能なＰＬＭＮリストが無線資源コンポーネントに送られる。
【００２２】
タイミング・コンポーネントは割込み処理、例えば第１および第２の無線アクセス技術のメディア・アクセス制御（ＭＡＣ）機能、も制御する。Ｗ−ＣＤＭＡ層１／ＭＡＣ割込サービス・ルーチン（ＩＳＲ）機能は、例えば、ＤＳＰタイミング、トランスポートからロジックへの、またはその逆へのチャネルマッピングなどを含む。タイミング・コンポーネントは、ＧＳＭ／ＧＰＲＳ層１  ＭＡＣ  ＩＳＲのための割込み処理、例えば適応利得制御（ＡＧＣ）、適応周波数制御（ＡＦＣ）、波形生成、ＭＡＣ手順も制御する。
【００２３】
割込み処理情報は、各層１  ＭＡＣ  ＩＳＲから、第１および第２の無線アクセス技術の対応する無線シーケンス制御（ＲＬＣ）コンポーネント３４６，３４８へ、およびＤＳＰ３５０へ、両方の無線アクセス技術に共通するマイクロコントローラユニット（ＭＣＵ）／ＤＳＰインタフェース３５２を介して伝達される。
【００２４】
図５は、ＧＰＲＳ移動性管理（ＧＭＭ）要素５２０と移動性管理（ＭＭ）要素５３０に結合された、移動性管理コンポーネント５１０を含む移動性管理タスク層５００の例である。ＧＭＭとＭＭのコンポーネントは、統合無線アクセス技術（例えば登録、登録解除および位置管理、認証、メッセージ構築、パーシングなど）に特有な機能性ブロックを有している。
【００２５】
移動性管理層５００は、無線資源層５４０、無線アクセス技術Ｌ１タスク層５５０、ＧＳＭ論理リンク制御（ＬＬＣ）エンティティ５６０、セッション管理（ＳＭ）エンティティ５７０、ＭＭＩＣＭ  ５８０およびＤＳＳＰ  ５９０とインタフェース接続する。これらのインタフェースは、図３にも一般的に例証されている。移動性管理層は、以下に議論するようなデータ・ルータにインタフェース接続すると共に、無線アクセス技術ステータス情報をデータ・ルータに提供する。
【００２６】
図３の例証的実施形態では、データ・ルータ３６０は、サービス層３２０、特にサービス層３２０のデータ・フロー・サービス・プロバイダ（ＤＦＳＰ）３２２に双方向データバスにより結合される。データ・ルータ３６０は第１および第２の無線アクセス技術にも結合され、例証的実施形態ではＷ−ＣＤＭＡパケットデータ通信プロトコル（ＰＤＣＰ）３６２およびＧＳＭサブネットワーク依存通信プロトコル（ＳＮＤＣＰ）３６４に結合される。
【００２７】
データ・ルータ３６０は、一般に、サービス層と、無線アクセス技術のうちの１つとの間のデータを経路指定する。図３では、無線資源コンポーネント３３８は移動性管理モジュール３３２によってデータルータ３６０に結合され、移動性管理モジュール３３２は無線アクセス技術のうちの１つを選択するために、データ・ルータ３６０に制御情報を提供する。図６では、データ・ルータ６００は、データをＤＦＳＰ  ６１０からＷ−ＣＤＭＡ無線アクセス技術（ＲＡＴ）用のＰＤＣＰ  ６２０へ経路指定するように構成されている。図７では、データ・ルータ７００は、無線アクセス技術が定義されていない時に起こるようにヌルモードに構成され、図８は、データ・ルータ８００がデータをＤＦＳＰ  ８１０からＧＳＭ無線アクセス技術用のＳＮＤＣＰ  ８２０へ経路指定するように構成されていることを示している。
【００２８】
本発明および現時点でその最良の態様と考えられるものを、発明者がその所有を確立し、当業者が発明を製造および使用することができるように説明したが、ここに開示した例証的実施形態には多くの均等物があり、ここに開示した例証的実施形態には発明の範囲および趣旨を逸脱することなく多数の改変および変更をなすことが可能であり、本発明は例証的実施形態ではなく添付の特許請求の範囲により制限されるものとする。
【図面の簡単な説明】
【００２９】
【図１】２つの異なる通信プロトコルによりサービスを提供されている通信カバレージ・エリアの例。
【図２】マルチモード移動局の通信アーキテクチャの例。
【図３】ＧＳＭおよびＷ−ＣＤＭＡ通信のためのマルチモード移動局のアーキテクチャの例のより詳細な図。
【図４】マルチモード通信アーキテクチャの無線資源調整モジュールの例。
【図５】マルチモード通信アーキテクチャの移動性管理コンポーネントの例。
【図６】データ・ルータ構成の例。
【図７】別のデータ・ルータ構成の例。
【図８】別のデータ・ルータ構成の例。
【図１】
2005537748.tif 000003
【図２】
2005537748.tif 000004
【図３】
2005537748.tif 000005
【図４】
2005537748.tif 000006
【図５】
2005537748.tif 000007
【図６】
2005537748.tif 000008
【図７】
2005537748.tif 000009
【図８】
2005537748.tif 000010
【国際調査報告】
2005537748.tif 000011
2005537748.tif 000012